(57)【要約】【課題】  簡単な手段で歩行者や車両の誘導対象に所定の標識を示し、誘導を正確かつ確実に行うようにする。【解決手段】  例えば手袋型の標識表示部材本体１に着脱可能な接続部材２を用いて、所定の標識を表示した標識表示片３Ａ、３Ｂを着脱可能に取り付ける。誘導員は利き手でない方の手（右利きの場合は左手）にこの標識表示部材本体１を装着し、左手の手の甲１ａ或いは手のひら１ｂに表示された標識を歩行者或いは車両等の誘導対象に示すことによりこの誘導対象を正確に誘導する。【選択図】        図１
0003105962.tif 000002
【実用新案登録請求の範囲】
【請求項１】
人の左右の手のうち一方の手に装着する部材であって、当該部材の手の甲及び手のひらに対してそれぞれ所定の標識を表示し、車両や歩行者等、誘導を必要とする対象に対して手のひら或いは手の甲をかざすことにより当該対象に対して所定の標識を表示するよう構成したことを特徴とする標識表示部材。
【請求項２】
手に装着する標識表示部材本体の手の甲及び手のひらに対して着脱可能な接続材を設け、かつ所定の標識を表示した標識表示片を構成し、当該接続材により標識表示片を標識表示部材本体に対して着脱可能に取り付けたことを特徴とする請求項１記載の標識表示部材。
【請求項３】
標識表示部材の本体部は手の甲或いは手のひらの面積よりも大きく形成し、当該本体部に対して人の手を挿入する空間部が形成されていることを特徴とする請求項１又は２記載の標識表示部材。
【請求項４】
前記本体部に対しては当該本体部を装着した誘導員と当該本体とを結ぶ紐が設けられていることを特徴とする請求項３記載の標識表示部材。
【請求項５】
標識表示部材本体は裏返し可能に構成され、本体表側の手の甲と手のひら、及び裏側の手の甲と手のひらにそれぞれ標識が設けていることを特徴とする請求項１乃至４の何れかに記載の標識表示部材。
【考案の詳細な説明】
【技術分野】
【０００１】
本考案は各種標識等を表示する表示部材に係り、特に手袋等人の手に装着する部材に対して所定の標識を表示した表示部材に関する。
【背景技術】
【０００２】
例えば、大型のスーパーマッケットの駐車場において、駐車車両を所定の駐車スペースに案内するために、或いは道路工事において歩行者や車両を案内誘導するために、それぞれ要員（以下「誘導員」とする）が配置され、これら車両や歩行者を所定の方向に誘導する光景は我々がよく目にするところである。
【０００３】
この場合、誘導員は素手で誘導する他、旗を持ったり、或いはＬＥＤ等により発光する棒状の案内器具（以下「指示棒」とする）をかざしたりして、車両や歩行者に対して停止、迂回、所定方向への移動等、個々の指示を発する。
【０００４】
しかしながら、これらの指示は必ずしも明瞭であるとは言えず、例えば指示棒の振り方によっては進行なのか停止なのかが不明な場合が生じたり、そもそも何のための指示なのかその指示の内容が不明であったりして、車両の運転者や歩行者がかえって判断に迷うこともある。
【０００５】
このような問題点を解決するための先行技術の開示は極めて少ないが、例えば下記のような先行技術が提案されている。
【特許文献１】特開２００１−３０６００４
【０００６】
この特許文献１に示されている技術は、誘導員の手に装着可能な板状の標識を構成し、この標識板に対してＬＥＤ等の発光体が多数設けられ、この発光体の発光状態の組み合わせにより標識板に所定の標識を表示して、車両や歩行者に進行、停止等、所定の指示を行うよう構成されている。
【０００７】
この構成の装置は、一つの標識板を用いて複数の指示が可能であり、かつ夜間等でも比較的容易に視認可能である反面、標識板に多数配設された発光体の発光を制御するための制御装置と、この制御装置を作動させるための電源とを必要とする。この結果その使用範囲は自ずと限定されたもとなる。
【考案の開示】
【考案が解決しようとする課題】
【０００８】
誘導員による従来方式の旗や指示棒等を用いた誘導、指示では誘導される車両、歩行者等がその指示を理解できなかったり、或いは誤解する場合がしばしば生じている。このような誘導員による誘導、指示に対する誤解或いは理解不能な状態を回避するための技術は従来提供されていない。また唯一提供されている関連技術としての前記特許文献の発明は、一定の効果が期待できるものの、制御装置を必要とすること、電源の確保等によりその利用範囲は限定されてしまう。
【課題を解決するための手段】
【０００９】
本考案は上記の問題点に鑑み構成されたものである。
即ち、本考案は誘導員の一方の手（通常利き手でない方の手）に対して装着される指示内容表示部材であって、例えば手袋状に形成されこの部材の手のひら（掌）側と手の甲側に文字あるいは図形等による所定の指示内容が印刷等により固定的に、或いは表示部のみ交換可能に構成され、誘導員はこの指示内容を示した標識表示部材単独で、或いは前述の旗または指示棒と組み合わせて、車両或いは歩行者に対して明確かつ誤解の生じない誘導、指示を行えるようにした標識表示部材である。
【考案の効果】
【００１０】
表示部材の手のひら側及び手の甲側に異なる表示をすることにより、歩行者、車両等に対して手のひら或いは手の甲側を向けることより、これら歩行者、車両等に対し異なる二つの誘導・指示を行うことができる。
【００１１】
標識は表示部材に対して印刷により、或いは着脱可能な接続材により表示部材本体に対して着脱可能に取り付ける構成となっているため、標識表示部材を安価に提供することができる。
【考案を実施するための最良の形態】
【００１２】
軍手等の手のひら側と手の甲側が全く同じに作られた、手に装着可能な部材を表示部材本体とし、この本体に対して所定の指示内容を表示した文字あるいは図形から成る標識を手のひら側と手の甲側に印刷により、或いはこれらの標識を表示した布片等の表示材を着脱可能な接続材により取り付けることにより手のひら側及び手の甲側にそれぞれの標識を表示する。
【実施例１】
【００１３】
図１は本考案の第１の実施例を示す。
図中符号１は標識表示部材の本体を示す。この本体１は図からも明らかなとおり手袋型に形成されており、実際軍手等の手袋を利用することも可能である。この標識部材本体１は装着する誘導員の利き手でない方、例えば誘導員が右利きであれば左手に装着するものとして構成される。以下特別に断らない限り他の実施例も含めて全て左手に装着する構成について説明する。
【００１４】
本体１は上述のとおり左手に装着するものであるため、図１（Ａ）は左手の甲１ａを示し、同（Ｂ）は左手の手のひら１ｂを示すことになる。これら手の１ａ、手のひら１ｂに対しては本体１に対して対象物の着脱が可能な接続材２がそれぞれ設けられている。この接続材２としては取付対象物と被対象物の各々に対してそれぞれ係合部材を有するマジックテープ（商品名）等の面接続具が好適である。
【００１５】
３Ａは本体１の手の甲１ａに装着する標識表示片であって、表面側には所定の標識（図示の場合には進入禁止を示す標識）が印刷等の手段で表示され、かつ裏面には本体１と係合する他の接続材（図示せず）が設けられている。
【００１６】
同様に（Ｂ）において、標識表示片３Ｂには別の標識（図示場合は駐車場の標識）が表示され、この標識表示片３Ｂが前記構成と同様面接続具により本体１の手のひらの１ｂに対して着脱可能に取り付けられるよう構成されている。なお、このような着脱可能な接続具を用いることにより本体１の手の甲１ａ、手のひら１ｂに対してそれぞれ別の標識を表示した標識表示片を取り付けることが可能である。。
【００１７】
誘導員は以上の構成の標識表示部材を左手に装着し、車両或いは歩行者に対して左手の甲或いは手のひらを掲げることにより手の甲１ａ、或いは手のひら１ｂに表示した標識を示す。この場合、利き手である右手で旗や指示棒を振ったり掲げたりすることにより、その指示内容がより一層明瞭となる（後述する図３参照）。
【実施例２】
【００１８】
図２は第２の実施例を示す。
本実施例は標識表示部材の標識表示面を大きく設定した構成を示している。
矢印７は標識表示部材を示し、符号４はこのうちの標識表示部材本体を示している。この標識表示部材本体４は前記実施例の手袋型本体１に対して標識の表示面を大きくとれるように構成されている。
【００１９】
即ち本体４内部には誘導員の左手が挿入されるされにための挿入空間が形成されている。このうち符号５Ａは各指が独立して挿入するよう構成された挿入空間であり、符号５Ｂは左手のうち、親指のみが独立して挿入され、残りの４本の指は一つの空間内に挿入されるよう構成されている。
【００２０】
因みに、空間５Ａの方が本体４をに対する装着は確実であり、本体から左手を抜く必要があまりない場合にはこの構成が好適である。しかし、前記実施例とは相違してこの本体４を装着した状態では各指の動きが規制され本来手として機能は事実上果たすことができないので、本体４を取って左手を使う必要がある場合には本体４から手を抜きやすい５Ｂ型の挿入空間の方が効果的である。また符号６は本体４を手から抜いた場合に、この本体４を首からぶら下げるための紐である。その使用状態は図３を用いて後述する。
【００２１】
なお、図２（Ａ）における手の甲４ａに対して図示の構成では一例としてＳＴＯＰの文字が表示され、同（Ｂ）ではＰＡＲＫＩＮＧの文字が表示されている。なお、当然のことながらこれら手の甲４ａ、４ｂに対しては異なる文字或いは図形から成る標識の表示が可能である。またその表示方法も、本体４に対して印刷等により直接表示する方法の他、前記実施例１のように着脱可能な標識表示片を取り付けるように構成することも当然可能である。
【００２２】
図３は実施例２にかかる標識表示部材の使用例を示す。
図において誘導員（右利き）Ｍは左手に標識表示部材７の本体４のうち、手のひら４ｂを示し、進入してくる車両に対して駐車場ありの表示をしている。またこの場合右手に持った指示棒８により駐車場への進入方向を指し示すことにより、車両を間違いなく駐車場に誘導する。
【００２３】
上記の場合、何らかの理由で両手或いは左手を使う必要が生じた場合には左手を標識表示部材７から抜き、所定の作業を行う。この場合誘導員Ｍは標識表示部材７に取り付けられいる紐６を首から掛けているため、左手を抜いてもこの標識表示部材７の置き場所を考えることなく、直ちに別の作業を行うことができる。
【実施例３】
【００２４】
図４は第３の実施例を示す。この実施例では標識表示部材本体を裏返すことにより４通りの表示を一つの標識表示部材で行えるよう構成している。
【００２５】
同図において矢印１Ａで示す二つの標識表示部材が、裏返し可能な（リーバーシブル）標識表示部材の一方の側（以下１Ａ側を標識表示部材の「表側」とする）を示している。このうち符号１Ａａで示すものが左手の手の甲側であり、図示の構成では標識として「ＧＯ」の文字が示されている。
【００２６】
一方手のひら側１Ａｂに対しては標識として「ＳＴＯＰ」の文字が示されている。これにより標識表示部材の表側１Ａを左手に装着することにより手の甲及び手のひらを歩行者或いは車両に示すことにより「ＧＯ」と「ＳＴＯＰ」の標識を示すことができる。
【００２７】
次に、符号１Ｂで示すものは表側１Ａを反転させて別の面（以下「裏側」とする）を表に出した状態を示す。これにより前記表側１Ａの手の甲側１Ａａは右隣の手のひら側１Ｂｂとなる。同様に下段の表側１Ａを反転させて左隣の裏側１Ｂの手の甲側１Ｂａとなる。これよにり、表側１Ａを反転させて裏側１Ｂを用いることにより手の甲１Ｂａ側に「駐車スペース有り」の「Ｐａｒｋｉｎｇ  有」の表示を、手のひら１Ｂｂ側に「駐車スペース無し」の「Ｐａｒｋｉｎｇ  無」の表示をすることができる。
【００２８】
以上のように本実施例では標識表示部材をリバーシブルとすることにより、都合４個の標識を表示することが可能となる。
【産業上の利用可能性】
【００２９】
図示の構成から明らかなように、本考案は標識表示部材として市販の軍手等も利用可能である。従って、軍手の製造工程において所定の標識を手の甲及び手のひらに表示するよう構成すれば、標識表示部材を安価かつ大量に供給することが期待できる。
【図面の簡単な説明】
【００３０】
【図１】本考案の第１の実施例を示す標識表示部材の平面図であり、（Ａ）は左手の手の甲側を、（Ｂ）は左手の手のひら側を示す。
【図２】本考案の第２の実施例を示す標識表示部材の平面図であり、（Ａ）は左手の手の甲側を、（Ｂ）は左手の手のひら側を示す。
【図３】図２に示す標識表示部材の使用状態を示す誘導員の正面図である。
【図４】本考案の第３の実施例を示す標識表示部材の表面及び裏面の平面図である。
【符号の説明】
【００３１】
１  標識表示部材本体  
１Ａ  標識表示部材本体の表側
１Ａａ  標識表示部材本体の表の手の甲側
１Ａｂ  標識表示部材本体の表の手のひら側
１Ｂ  標識表示部材本体の裏側
１Ｂａ  標識表示部材本体の表の裏の甲側
１Ｂｂ  標識表示部材本体の裏の手のひら側
２  接続材
３Ａ、３Ｂ  標識表示片
４  標識表示部材本体（面積拡大型）
５Ａ、５Ｂ  手の挿入空間
６  紐
７  標識表示部材
８  指示棒
Ｍ  誘導員
【図１】
0003105962.tif 000003
【図２】
0003105962.tif 000004
【図３】
0003105962.tif 000005
【図４】
0003105962.tif 000006
【手続補正書】
【提出日】平成16年8月19日(2004.8.19)
【手続補正１】
【補正対象書類名】実用新案登録請求の範囲
【補正対象項目名】全文
【補正方法】変更
【補正の内容】
【実用新案登録請求の範囲】
【請求項１】
人の左右の手のうち一方の手に装着する手袋形の形状を有する標識表示部材本体からなり、当該標識表示部材本体の手の甲及び手のひらにはそれぞれ所定の標識を表示する表示部分が形成され、車両や歩行者等、誘導を必要とする対象に対して標識表示部本体の手のひら側或いは手の甲側をかざすことにより、当該対象に対して手のひら側或いは手の甲側に表示された所定の標識を示すよう構成したことを特徴とする標識表示部材。
【請求項２】
前記標識表示部材本体の手の甲及び手のひらに対して着脱可能な接続材を設け、かつ所定の標識を表示した標識表示片を構成し、当該接続材により標識表示片を標識表示部材本体に対して着脱可能に取り付けたことを特徴とする請求項１記載の標識表示部材。
【請求項３】
標識表示部材本体は手の甲或いは手のひらの面積よりも大きな面積を有する面積拡大型本体として形成し、当該面積拡大型の標識表示部材本体に対して人の手を挿入する空間部が形成されていることを特徴とする請求項１又は２記載の標識表示部材。
【請求項４】
前記面積拡大型の標識表示部材本体に対しては当該本体を装着した誘導員と当該本体とを結ぶ紐が設けられていることを特徴とする請求項３記載の標識表示部材。
【請求項５】
標識表示部材本体は裏返し可能に構成され、本体表側の手の甲と手のひら、及び裏側の手の甲と手のひらにそれぞれ標識が設けられていることを特徴とする請求項１又は２記載の標識表示部材。